(57)【要約】【課題】  容器本体を構成する収納部を複数隣接配置し、蓋体にて連結し多種の食品等を区分けして収納するとともに、個別の包装容器へと分断可能にする切断部に負荷が集中することなく、切断部の強度を過剰に上げすぎなくてもよい包装容器を提供する。【解決手段】上方が開口し、食品が収納される独立した複数の収納部からなる容器本体と、容器本体に嵌脱自在とされ、収納部に対応する独立した複数の蓋部からなる蓋体とを備える包装容器であって、容器本体は、収納部に設けられる容器側フランジ部の相互を重合させて、収納部を隣接配置させ、蓋体は、蓋部に設けられる蓋側フランジ部の相互の境界に形成される切断部を介して分断可能に一体に形成され、蓋部を収納部に対応して嵌合させ、容器側フランジ部と蓋側フランジ部を重合配置させるとともに、切断部を容器側フランジ部における重合領域の上方に配置させることを特徴とする包装容器。【選択図】  図１
2013256301.tif 000002
【特許請求の範囲】
【請求項１】
上方が開口し、食品が収納される独立した複数の収納部からなる容器本体と、
前記容器本体に嵌脱自在とされ、前記収納部に対応する独立した複数の蓋部からなる蓋体とを備える包装容器であって、
前記容器本体は、前記収納部に設けられる容器側フランジ部の相互を重合させて、前記収納部を隣接配置させ、
前記蓋体は、前記蓋部に設けられる蓋側フランジ部の相互の境界に形成される切断部を介して分断可能に一体に形成され、
前記蓋部を前記収納部に対応して嵌合させ、前記容器側フランジ部と前記蓋側フランジ部を重合配置させるとともに、前記切断部を前記容器側フランジ部における重合領域の上方に配置させることを特徴とする包装容器。
【請求項２】
前記収納部の前記容器側フランジ部に下方へ凹む掛合部を備えてなり、前記容器側フランジ部を重合させるとともに、前記掛合部を重合させる請求項１に記載の包装容器。
【請求項３】
前記掛合部は、前記収納部における前記容器側フランジ部の縁部に設けられる請求項２に記載の包装容器。
【請求項４】
一方の前記収納部における前記容器側フランジ部の縁部であって前記掛合部を形成する掛合部端面を他方の前記収納部における前記掛合部を形成する掛合壁面に当接させて重合する請求項３に記載の包装容器。
【請求項５】
重合させる前記容器側フランジ部の少なくとも一方に切込部を設けてなり、前記切込部へ他方の切込部又は他方の前記容器側フランジ部を挿通し、上下双方から前記容器側フランジ部を重合させる請求項１から請求項４のいずれか１項に記載の包装容器。
【請求項６】
前記掛合部を少なくとも２箇所以上に設けるとともに、重合させる前記容器側フランジ部の少なくとも一方であって、隣接する前記掛合部の間に切込部を設けてなり、前記切込部へ他方の切込部又は他方の前記容器側フランジ部を挿通し、上下双方から前記掛合部を重合させる請求項２から請求項５のいずれか１項に記載の包装容器。
【請求項７】
前記切込部が前記掛合部に設けられる請求項３から請求項５のいずれか１項に記載の包装容器。
【発明の詳細な説明】
【技術分野】
【０００１】
本発明は、食品等を収納する容器本体と蓋体からなる包装容器に係るものであって、特に容器本体を構成する収納部を複数隣接配置し、蓋体にて連結し多種の食品等を区分けして収納する包装容器に関するものである。
【背景技術】
【０００２】
従来より、１つの包装容器にそれぞれ異なる種類の食品等を任意に区分けして収納できるとともに、食する場合には容易に食品等が収納された容器の一部を個々に取り出すことができる包装容器が公知である。
【０００３】
例えば、容器本体は夫々独立した二つの収納部からなり、それら収納部の各外周上縁部には蓋部の夫々の周縁に形成された係止片に嵌脱自在なフランジ部が夫々形成されてなり、蓋体は切断部を介して分断可能に一体的に形成された二つの蓋部によって構成され、これらの蓋体と容器本体が嵌合される包装容器が公知である（特許文献１参照）。
【０００４】
これにより、蓋体の切断部を用いて二つの蓋部を切り離せば、それぞれ収容部に蓋部が取り付けられた二つの包装容器に分断できるので、収納される食品に適した、いわゆる食べ頃な温度に個別に温度設定を行うことができるものである。
【先行技術文献】
【特許文献】
【０００５】
【特許文献１】実開平７−３３８１４号
【発明の概要】
【発明が解決しようとする課題】
【０００６】
しかしながら、上記構造では、収納部に収納される食品等の重量により、切断部に負荷が集中する為、物流時や消費者が帰宅するまでの間に、当該切断部を基点として二つの収納部が折れ曲がってしまったり、切断部が破断してしまったりする虞がある。
【０００７】
上記課題を解決するものとして、切断部の強度を向上させる為に切断部の断面を略波形状等とすることが検討されるが、当該強度を向上させすぎると、消費者が切断部を切断しづらくなる虞もある。
【０００８】
そこで、本発明はこのような問題点を解決するものであって、容器本体を構成する収納部を複数隣接配置し、蓋体にて連結し多種の食品等を区分けして収納するとともに、個別の包装容器へと分断可能にする切断部に負荷が集中することなく、切断部の強度を過剰に上げすぎなくてもよい包装容器を提供することを課題とする。
【課題を解決するための手段】
【０００９】
前記問題点を解決するために、本発明の請求項１に記載の包装容器は、上方が開口し、食品が収納される独立した複数の収納部からなる容器本体と、前記容器本体に嵌脱自在とされ、前記収納部に対応する独立した複数の蓋部からなる蓋体とを備える包装容器であって、前記容器本体は、前記収納部に設けられる容器側フランジ部の相互を重合させて、前記収納部を隣接配置させ、前記蓋体は、前記蓋部に設けられる蓋側フランジ部の相互の境界に形成される切断部を介して分断可能に一体に形成され、前記蓋部を前記収納部に対応して嵌合させ、前記容器側フランジ部と前記蓋側フランジ部を重合配置させるとともに、前記切断部を前記容器側フランジ部における重合領域の上方に配置させることを特徴とするものである。
【００１０】
また、本発明の請求項２に記載の包装容器は、請求項１に記載の包装容器において、前記収納部の前記容器側フランジ部に下方へ凹む掛合部を備えてなり、前記容器側フランジ部を重合させるとともに、前記掛合部を重合させるものである。
【００１１】
また、本発明の請求項３に記載の包装容器は、請求項２に記載の包装容器において、前記掛合部は、前記収納部における前記容器側フランジ部の縁部に設けられるものである。
【００１２】
また、本発明の請求項４に記載の包装容器は、請求項３に記載の包装容器において、一方の前記収納部における前記容器側フランジ部の縁部であって前記掛合部を形成する掛合部端面を他方の前記収納部における前記掛合部を形成する掛合壁面に当接させて重合するものである。
【００１３】
また、本発明の請求項５に記載の包装容器は、請求項１から請求項４のいずれか１項に記載の包装容器において、重合させる前記容器側フランジ部の少なくとも一方に切込部を設けてなり、前記切込部へ他方の切込部又は他方の前記容器側フランジ部を挿通し、上下双方から前記容器側フランジ部を重合させるものである。
【００１４】
また、本発明の請求項６に記載の包装容器は、請求項２から請求項５のいずれか１項に記載の包装容器において、前記掛合部を少なくとも２箇所以上に設けるとともに、重合させる前記容器側フランジ部の少なくとも一方であって、隣接する前記掛合部の間に切込部を設けてなり、前記切込部へ他方の切込部又は他方の前記容器側フランジ部を挿通し、上下双方から前記掛合部を重合させるものである。
【００１５】
また、本発明の請求項７に記載の包装容器は、請求項３から請求項５のいずれか１項に記載の包装容器において、前記切込部が前記掛合部に設けられるものである。
【発明の効果】
【００１６】
本発明の包装容器では、容器本体と蓋体とが嵌合した状態において、容器本体の重合する容器側フランジ部とこれに重合する蓋体の蓋側フランジ部の弾性変形作用、又は両者のフランジ部、掛合部における弾性変形及び回動規制の相互作用により、包装容器の切断部に負荷が集中するのを分散することができる。
【図面の簡単な説明】
【００１７】
【図１】本発明の実施例１における包装容器の分解斜視図である。
【図２】本発明の実施例１における包装容器の容器本体の平面図である。
【図３】本発明の実施例１における包装容器の図２のＡ−Ａ線拡大断面図である。
【図４】本発明の実施例１における包装容器の第１収納部の拡大斜視図である。
【図５】本発明の実施例１における包装容器の平面図である。
【図６】本発明の実施例１における包装容器の図５のＢ−Ｂ線拡大断面図である。
【図７】本発明の実施例１における包装容器の図６の状態から各収納部を下方へ回動させた状態説明図である。
【図８】本発明の実施例１における包装容器の図７の状態で蓋体を取り外した状態斜視図である。
【図９】本発明の実施例２における包装容器の容器本体の（ａ）平面図、（ｂ）平面図のＣ−Ｃ端面図である。
【図１０】本発明の他の実施例における包装容器の掛合部を示す側面図である。
【図１１】本発明の他の実施例における包装容器の容器本体の平面図である。
【図１２】本発明の更に他の実施例における包装容器の容器本体の（ａ）分離状態を示す平面図、（ｂ）掛合状態を示す平面図である。
【図１３】本発明の他の実施例における包装容器の図１２の容器本体の更に別の（ａ）分離状態を示す平面図、（ｂ）掛合状態を示す平面図である。
【発明を実施するための形態】
【００１８】
以下、本発明の実施の形態における包装容器を図面に基づいて説明する。当該包装容器において、蓋体が設けられる側を当該容器の上方とし、容器本体が設けられる側を当該容器の下方とする。
【実施例１】
【００１９】
本発明に係る包装容器１は、図１から図８に示すように、プラスチック製の容器であって、食品等を収納する容器本体２と、容器本体２に嵌合される蓋体３とから構成される。具体的には、複数の食品等を区分けして収納する為の収納部を複数隣接配置して、両者を掛合させることで容器本体２を構成し、各収納部に対応する複数の蓋部を一体に形成した蓋体３を容器本体２に嵌合してなるものである。
【００２０】
容器本体２は、図に示すように、上方が開口した第１収納部２１及び第２収納部２２とからなり、両者が掛合することで構成される。第１収納部２１及び第２収納部２２は、例えばポリプロピレン等のプラスチックを用いて、真空成形、圧空成形、又は真空圧空成形により略同一形状に形成される。詳細につき、以下に第１収納部２１についてのみ説明する。
【００２１】
具体的には、第１収納部２１の上端周縁に断面略コ字状の嵌合部２３が設けられるとともに、嵌合部２３の下方端部から水平方向に容器側フランジ部２４が設けられてなる。容器側フランジ部２４は、第１収納部２１の全周に設けることもできるし、第１収納部２１の一端にのみ設けることもでき、設ける端部が制限されるものではない。嵌合部２３は、蓋体３に嵌合する際の嵌合手段となる。
【００２２】
また、容器側フランジ部２４の一部は幅広に形成されており、当該幅方向には掛合部２５が設けられる。図１及び図４に示すように、本実施例における掛合部２５は、容器側フランジ部２４から下方へ略円弧状に凹んだ形状からなる。より詳細には、掛合部２５は、当該円弧状面を形成する掛合底面２５ａと、掛合底面２５ａと上方の容器側フランジ部２４とを連設する掛合壁面２５ｂから構成される。また、掛合部２５は、容器側フランジ部２４における縁部に沿って設けられ、掛合底面２５ａの縁部は、掛合部端面２５ｃとされる。
【００２３】
このようにして第１収納部２１は構成され、第１収納部２１と第２収納部２２は、掛合部２５が設けられる相互の容器フランジ部２４を重合させるとともに、相互の掛合部２５を重合させることで掛合される。すなわち、重合する掛合面を増加させる為に、掛合部２５は、容器側フランジ部２４における幅方向の縁部から可能な範囲で広くすることが望ましいものである。また、掛合部２５は、容器側フランジ部２４における長手方向の略中央部の１箇所に設けてもよいが、所定の間隔を有して少なくとも２箇所以上に設けることが望ましく、当該個数が制限されるものではない。
【００２４】
更に、第１収納部２１と第２収納部２２とが掛合した容器本体２において、当該容器本体２の四隅における容器側フランジ部２４には、指を掛け易くする為の容器側把持部２６が設けられる。
【００２５】
蓋体３は、図１及び図５に示すように、第１収納部２１及び第２収納部２２に対応する第１蓋部３１及び第２蓋部３２とからなり、両者が切断部３３を介して分断可能に一体に形成されてなる。第１蓋部３１及び第２蓋部３２は、容器本体２と同様にして、真空成形、圧空成形、又は真空圧空成形により略同一形状に形成される。
【００２６】
具体的には、第１蓋部３１及び第２蓋部３２の周縁に断面略コ字状の嵌合溝３４が設けられるとともに、嵌合溝３４の下方端部から水平方向に蓋側フランジ部３５が設けられてなる。容器本体２と同様にして、蓋側フランジ部３５は、第１蓋部３１及び第２蓋部３２の全周に設けることもできるし、第１蓋部３１及び第２蓋部３２の一端のみに設けることもでき、設ける端部が制限されるものではない。蓋側フランジ部３５は、容器本体２の掛合部２５が設けられる容器側フランジ部２４に対応するようにして、少なくとも第１蓋部３１と第２蓋部３２の対向する一端に設けていればよいものである。嵌合溝３４は、容器本体２に嵌合する際の嵌合手段となる。
【００２７】
また、第１蓋部３１及び第２蓋部３２において、対向する位置の蓋側フランジ部３５は、それぞれ幅広に形成される。そして、当該蓋側フランジ部３５の境界には、第１蓋部３１と第２蓋部３２を分断し易くする為の切断部３３が設けられる。切断部３３は、周囲より機械的強度を小さく設定し、ミシン目等から形成した、いわゆるハーフカット線とされる。当該切断部３３は、蓋側フランジ部３５の長手方向に沿って、一端から他端にかけて設けられる。
【００２８】
更に、蓋体３の四隅における蓋側フランジ部３５には、指を掛け易くする為の蓋側把持部３６が設けられる。当該蓋側把持部３６は、容器側把持部２６とそれぞれ対応するようにして設けられる。
【００２９】
このようにして構成される包装容器１は、図１から図６に示すように、次のようにして嵌合される。まず、第１収納部２１と第２収納部２２における掛合部２５が設けられる相互の容器側フランジ部２４を重合させるとともに、相互の掛合部２５を重合させ、第１収納部２１と第２収納部２２とを掛合させる。
【００３０】
本実施例においては、図２及び図３に示すように、第１収納部２１の上方から第２収納部２２を重合させるものとする。当該状態では、第２収納部２２の掛合底面２５ａが上方から第１収納部２１の掛合底面２５ａに重合するとともに、第２収納部２２の掛合部端面２５ｃが第１収納部２１の掛合壁面２５ｂと当接する。すなわち、掛合部２５の幅寸法と略同等寸法の容器側フランジ部２４が相互に重合する。
【００３１】
そして、第１収納部２１と第２収納部２２が掛合した容器本体２に対して蓋体３を嵌合させる。具体的には、第１収納部２１と第２収納部２２における嵌合部２３に対して、第１蓋部３１と第２蓋部３２における嵌合溝３４をそれぞれ嵌合させる。これにより、第１収納部２１と第１蓋部３１、第２収納部２２と第２蓋部３２がそれぞれ嵌合された状態となる。よって、蓋体３において、第１蓋部３１と第２蓋部３２とは切断部３３を介して一体とされることから、第１収納部２１と第２収納部２２は、それぞれ蓋部が取り付けられた状態で一体となり、包装容器１を構成する。
【００３２】
当該状態において、図５及び図６に示すように、蓋体３の切断部３３は、第１収納部２１と第２収納部２２とが重合した容器側フランジ部２４における重合領域の上方であって、掛合した掛合部２５の上方に配置された状態となる。より詳細には、当該重合領域における幅方向の略中央部に切断部３３が配置されることが望ましく、掛合部２５における幅方向の略中央部に切断部３３が配置されることが望ましい。
【００３３】
次に、図５から図８に示すように、容器本体２に収納される食品等の重量により、第１収納部２１又は第２収納部２２が回動しようとする際にかかる負荷について説明する。
【００３４】
包装容器１において、第１収納部２１又は第２収納部２２が回動しようとする際には、両者を連結している切断部３３に負荷が集中することになるが、次のようにして当該負荷を分散することで、切断部３３が破断又は分断するのを防止している。
【００３５】
蓋体３における蓋側フランジ部３５の下方、特に切断部３３の下方においては、第２収納部２２の容器側フランジ部２４が配置され、さらに下方には第１収納部２１の容器側フランジ部２４が配置された状態で重合している。これにより、第１収納部２１又は第２収納部２２が回動しようとする際には、第２収納部２２の容器側フランジ部２４は、第１蓋部３１の蓋側フランジ部３５の下方から当接する。一方、第１収納部２１の容器側フランジ部２４は、第２収納部２２の容器側フランジ部２４の下方から当接する。したがって、各容器側フランジ部２４は、当該当接箇所を介して弾性変形して撓んだ状態となり、重合した容器側フランジ部２４の弾性力により、直接切断部３３へと負荷が集中するのを回避するとともに、蓋側フランジ部３５と第２収納部２２の容器側フランジ部２４へと負荷を分散させる。
【００３６】
更に、第２収納部２２の掛合底面２５ａが上方から第１収納部２１の掛合面２５ａに重合するとともに、第２収納部２２の掛合部端面２５ｃが第１収納部２１の掛合壁面２５ｂと当接している。これにより、第１収納部２１又は第２収納部２２が回動しようとする際には、重合した容器側フランジ部２４の弾性変形によって、第２収納部２２の掛合部端面２５ｃがより掛合壁面２５ｂと当接することとなり、当該回動を規制する効果を奏する。
【００３７】
上述のように、包装容器１において、上記フランジ部２４、３５における負荷の分散とともに、上記掛合部２５における回動規制の相互作用により、包装容器１の切断部３３に負荷が集中するのを分散することができる。
【００３８】
そして、蓋体３における切断部３３に沿って第１蓋部３１と第２蓋部３２とを切り離すことにより、それぞれ蓋部が取り付けられた第１収納部２１と第２収納部２２とに分断可能となる。
【００３９】
以上、説明した本発明に係る包装容器１によれば、容器本体２と蓋体３とが嵌合した状態において、容器本体２の重合する容器側フランジ部２４、掛合部２５、容器側フランジ部２４と重合する蓋体３の蓋側フランジ部３５における弾性変形及び回動規制の相互作用により、包装容器１の切断部３３に負荷が集中するのを分散することができる。これにより、個別の包装容器へと分断可能にする切断部３３に負荷が集中することなく、切断部３３の強度を過剰に上げすぎなくてもよい包装容器を実現することができる。
【実施例２】
【００４０】
本発明に係る包装容器１ａの実施例２について、図９に基づいて説明する。本実施例２における包装容器１ａは、実施例１における構造と略同様であるが、掛合部２５の重合について実施例１と相違するものである。詳細につき、以下に第１収納部２１ａについてのみ説明する。
【００４１】
実施例２における第１収納部２１ａは、図９に示すように、容器フランジ部２４において所定間隔をもって配設される掛合部２５の間であって、容器フランジ部２４の縁部に切込部２７を設けてなる。具体的には、切込部２７は、容器フランジ部２４の長手方向に対して直交するか又は所定の角度を有して設けられ、隣接する掛合部２５間の略中央部に設けることが望ましい。
【００４２】
更には、切込部２７は、掛合部２５の縁部に設けることもできる。具体的には、切込部２７は、容器フランジ部２４の長手方向に対して直交するか又は所定の角度を有して設けられ、掛合部２５を二等分するよう設けることが望ましい。この場合において、切込部２７が設けられる掛合部２５の個数は特に制限されるものではない。
【００４３】
上記切込部２７は、第１収納部２１ａのみに設けてもよいし、第１収納部２１ａと第２収納部２２ａの双方に設けてもよいものである。その他の構造は、同様であるので説明を省略する。
【００４４】
このようにして構成される容器本体２ａは、第１収納部２１ａの切込部２７へ第２収納部２２の容器フランジ部２４、又は第２収納部２２の切込部２７を挿通させ、上下双方から相互の容器側フランジ部２４を重合させるとともに、相互の掛合部２５を重合させ、第１収納部２１ａと第２収納部２２、２２ａとを掛合させる。これにより、切込部２７を介して双方の掛合部２５が上下方向から掛合する為、実施例１における容器本体２よりも強固に掛合できるとともに、包装容器１ａ全体として負荷に対し均衡が図られた構造とすることができる。
【００４５】
上記実施例１及び実施例２においては、容器本体２、２ａの容器側フランジ部２４に掛合部２５を設けた構成としたが、容器本体２、２ａの重合する容器側フランジ部２４のみを設けた包装容器１、１ａであっても、上述のとおり十分な効果を奏することから、容器側フランジ部２４に掛合部２５を設けない構成とすることもできる。この場合においては、切込部２７は、容器側フランジ部２４に設けられる。
【００４６】
更に、上述の実施形態の構成に限定されるものではなく、掛合部２５における形状は、図１０に示す同図（ａ）のように、断面略三角形状であってもよいし、同図（ｂ）のように、断面略四角形状であってもよい。更に、同図（ｃ）のように、断面略波形状であってもよく、当該形状に制限されるものではない。更に、掛合部２５の深さは相互に掛合し得る深さを有していればよい趣旨である。
【００４７】
また、掛合部２５は、容器側フランジ部２４における縁部に沿って設けず、容器側フランジ部２４における幅方向の所定位置に設けることもできる。更に、図１１に示すように、第１収納部２１の上方から第２収納部２２を重合させた状態において、第２収納部２２の端面２５ｃが第１収納部２１の掛合壁面２５ｂと当接しなくてもよいものである。少なくとも、容器本体２に収納される食品等の重量により、第１収納部２１又は第２収納部２２が回動しようとする際に当接すればよい趣旨である。
【００４８】
更に、第１収納部２１、第２収納部２２の形状、寸法、材質等を適宜変更して実施することが可能である。例えば、図１２に示すように、第１収納部２１ｂを略Ｌ字状に形成して、容器フランジ部２４を略Ｌ字状とし、第２収納部２２ｂを掛合させるものであってもよい。また、図１３に示すように、第１収納部２１ｃ及び第２収納部２２ｃにおいて、対応する略円弧状の外形を有する容器フランジ部として掛合させるものであってもよいものである。また、一部構成を省略することができるし、一部抽出した構成とすることができるのは勿論である。
【符号の説明】
【００４９】
１、１ａ、１ｂ、１ｃ  包装容器
２、２ａ  容器本体
２１    第１収納部
２２    第２収納部
２３    嵌合部
２４    容器側フランジ部
２５    掛合部
２５ａ  掛合底面
２５ｂ  掛合壁面
２５Ｃ  掛合部端面
２６    容器側把持部
２７    切込部
３      蓋体
３１    第１蓋部
３２    第２蓋部
３３    切断部
３４    嵌合溝
３５    蓋側フランジ部
３６    蓋側把持部
【図１】
2013256301.tif 000003
【図２】
2013256301.tif 000004
【図３】
2013256301.tif 000005
【図４】
2013256301.tif 000006
【図５】
2013256301.tif 000007
【図６】
2013256301.tif 000008
【図７】
2013256301.tif 000009
【図８】
2013256301.tif 000010
【図９】
2013256301.tif 000011
【図１０】
2013256301.tif 000012
【図１１】
2013256301.tif 000013
【図１２】
2013256301.tif 000014
【図１３】
2013256301.tif 000015